(57)【要約】【課題】ランプ破裂時に破裂片が外に飛び出るのことを防止するとともに、内部の熱気を効率的に放出できること。【解決手段】ランプホルダ１は、ランプユニット２前面に取り付けられる。ランプホルダ１前面には、透光ガラス８が設けられる。ランプホルダ１のフロント部６の周壁９には開口１０が設けられている。この開口１０の近傍にはリブ１１が複数設けられる。リブ１１は、ランプ中央位置Ｃから開口１０に至る放射状の仮想直線を遮る形状であり、仮想直線がリブ１１に触れずに直接開口１０を通過することがないように設定される。これにより、ランプ３が破裂しても破裂片がリブ１１に衝突し、外に飛び出ないようになる。また、リブ１１は、リフレクタ４内部に外気を取り入れ、また内部の熱気を外部に出す。【選択図】      図１
2004239975.tif 000002
【特許請求の範囲】
【請求項１】
ランプを収容し該ランプの光を集光させるリフレクタの前面に取り付けられるランプホルダにおいて、
前記ランプホルダの前面に設けられ、前記ランプの光を外部に出射させるとともに、前記ランプ破損時の破片が外部に飛散することを防止するための透光板と、
前記ランプホルダの側面に設けられる開口と、
前記開口部分に配置され、前記ランプの中心から前記開口を通過して外部に至る放射状の仮想直線を遮り、かつ前記リフレクタ内部と外部の間で空気の流れを形成させる形状のリブと、
を備えたことを特徴とするランプホルダ。
【請求項２】
ランプおよび該ランプの光を集光させるリフレクタからなるランプユニットの前面に取り付けられるランプホルダにおいて、
前記ランプホルダの前面に設けられ、前記ランプの光を外部に出射させるとともに、前記ランプ破損時の破片が外部に飛散することを防止するための透光板と、
前記ランプホルダの側面に設けられる開口と、
前記開口部分に配置され、該開口から前記ランプを外部に露見させず、かつ前記リフレクタ内部と外部の間で空気の流れを形成させる形状のリブと、
を備えたことを特徴とするランプホルダ。
【請求項３】
前記リブは、前記開口の内部に設けられ、一つまたは複数個が屈曲して設けられることを特徴とする請求項１または２に記載のランプホルダ。
【請求項４】
前記リブは、前記開口から一部が外部に突出していることを特徴とする請求項１〜３のいずれか一つに記載のランプホルダ。
【請求項５】
前記リブは、前記開口から複数個突出し、該複数のリブのうち一つのリブの端部は上方向に折曲され、他のリブの端部は下方向に折曲されていることを特徴とする請求項４に記載のランプホルダ。
【請求項６】
前記開口は、ランプホルダの両側部にそれぞれ設けられ、該それぞれの開口は、外部の空気の流れ方向に向いていることを特徴とする請求項１〜５のいずれか一つに記載のランプホルダ。
【請求項７】
前記開口は、ランプホルダの両側部にそれぞれ設けられ、該各開口には、外部の空気の流れ方向の下流側に開いた開端を有するカバーがそれぞれ設けられていることを特徴とする請求項１〜５のいずれか一つに記載のランプホルダ。
【請求項８】
前記開口は、ランプホルダの両側部にそれぞれ設けられ、該一方の開口には、外部の空気の流れ方向の上流側に開いた開端を有するカバーが設けられ、他方の開口には、外部の空気の流れ方向の下流側に開いた開端を有するカバーが設けられていることを特徴とする請求項１〜５のいずれか一つに記載のランプホルダ。
【請求項９】
ランプホルダの下方に、外部の空気の流れ方向に向いた第２の開口を設けたことを特徴とする請求項１〜５のいずれか一つに記載のランプホルダ。
【発明の詳細な説明】
【０００１】
【発明の属する技術分野】
この発明は、映像投射装置等に設けられ、メタルハライドランプ等のランプのリフレクタ前面に設けられるランプホルダに関し、特に、ランプの破損時における破片の飛散を防止し、かつリフレクタ内部の熱を効率的に放熱できるランプホルダに関する。
【０００２】
【従来の技術】
図１１は、従来のランプホルダの一例を示す斜視図である（下記の特許文献１参照。）。光源としてのランプ５０１はリフレクタ５０２に収容され、このリフレクタ５０２は、ランプハウジング５０３に取り付けられて光源装置５００が構成されている。この光源装置５００は、プロジェクタ等の映像投射装置の光源として用いられる。リフレクタ５０２は、放物線形状の反射面を有し、上下左右の四方には、それぞれ開口５０４が設けられている。この開口５０４のうち、リフレクタ５０２をランプハウジング５０３に取り付けた状態での上下側となる開口５０４Ａに封鎖板５０５を設け、左右側となる両開口５０４Ｂには金属メッシュ５０６が設けられている。また、ランプハウジング５０３の前面には、耐熱ガラスからなる透光板５０７が設けられている。
【０００３】
ランプ５０１は、点灯中に一部で極端な温度差が生じたり、過大な衝撃が加えられると破裂する場合がある。このときの破裂片がランプハウジング５０３の外に飛散すると、映像投射装置内でこの光源装置５００に隣接するほかの回路や構造の各部分を傷つけてしまう可能性がある。このため、この光源装置５００では、反射鏡の開口５０４Ｂに金属メッシュ５０６を設けることで、破裂片がランプハウジング５０３の外に飛び出るのを防止している。また、ランプ５０１による加熱でリフレクタ５０２内部は高温になるが、この内部の熱気は区画室５１０に設けられた金属メッシュ５０６を介して外に放出される。
【０００４】
【特許文献１】
特開平１０−２５４０６１号公報
【０００５】
【発明が解決しようとする課題】
上記従来の光源装置５００では、ランプ５０１が破裂した際の細かい破裂片が飛び出るのを防止するために、目の細かい金属メッシュ５０６を用いる必要がある。しかしながら、細かい目の金属メッシュ５０６を用いると、開口率が低下するため、内部冷却用の空気がリフレクタ５０２内部に入りにくくなり、また、リフレクタ５０２内部の熱気を放出しにくくなる。この結果、ランプ５０１の冷却効率が低下してしまう。一方、ランプ５０１の冷却効果を高めるために金属メッシュ５０６の目を荒くすると、ランプ５０１の破裂片が外部に飛び出してしまう。
【０００６】
この発明は、上述した従来技術による問題点を解消するため、ランプ破裂時に破裂片が外に飛び出ることを防止するとともに、内部の熱気を効率的に放出できるランプホルダを提供することを目的とする。
【０００７】
【課題を解決するための手段】
上述の目的を達成するために、請求項１の発明にかかるランプホルダは、ランプを収容し該ランプの光を集光させるリフレクタの前面に取り付けられるランプホルダにおいて、前記ランプホルダの前面に設けられ、前記ランプの光を外部に出射させるとともに、前記ランプ破損時の破片が外部に飛散することを防止するための透光板と、前記ランプホルダの側面に設けられる開口と、前記開口部分に配置され、前記ランプの中心から前記開口を通過して外部に至る放射状の仮想直線を遮り、かつ前記リフレクタ内部と外部の間で空気の流れを形成させる形状のリブと、を備えたことを特徴とする。
【０００８】
この請求項１の発明によれば、ランプユニットのランプが破裂した場合、破裂片がランプを中心として放射状に飛散する。この放射状の仮想直線を遮るリブが形成されているので、飛び散った破裂片がリブに衝突し、開口から外に飛び出ることを防止する。また、ランプの熱により、リフレクタ内部の温度が上昇しても、リブを介してリフレクタ内部の熱気が開口から外に効率よく放出され、ランプやリフレクタ内部を効果的に冷却できる。
【０００９】
また、請求項２の発明にかかるランプホルダは、ランプおよび該ランプの光を集光させるリフレクタからなるランプユニットの前面に取り付けられるランプホルダにおいて、前記ランプホルダの前面に設けられ、前記ランプの光を外部に出射させるとともに、前記ランプ破損時の破片が外部に飛散することを防止するための透光板と、前記ランプホルダの側面に設けられる開口と、前記開口部分に配置され、該開口から前記ランプを外部に露見させず、かつ前記リフレクタ内部と外部の間で空気の流れを形成させる形状のリブと、を備えたことを特徴とする。
【００１０】
この請求項２の発明によれば、ランプユニットのランプが破裂した場合、破裂片がランプを中心として放射状に飛散する。開口には、内部のランプを外部に露見させないリブが形成されているので、飛び散った破裂片がリブに衝突し、開口から外に飛び出ることを防止する。また、ランプの熱により、リフレクタ内部の温度が上昇しても、リブを介してリフレクタ内部の熱気が開口から外に効率よく放出され、ランプやリフレクタ内部を効果的に冷却できる。
【００１１】
また、請求項３の発明にかかるランプホルダは、請求項１または２に記載の発明において、前記リブは、前記開口の内部に設けられ、一つまたは複数個が屈曲して設けられることを特徴とする。
【００１２】
この請求項３の発明によれば、リブを開口の内部に設けたので、外部に不要な突出がなく、取り扱いを容易化できる。
【００１３】
また、請求項４の発明にかかるランプホルダは、請求項１〜３のいずれか一つに記載の発明において、前記リブは、前記開口から一部が外部に突出していることを特徴とする。
【００１４】
この請求項４の発明によれば、リブが開口から突出することで、リフレクタ内の熱気を確実に外部に放出できる。また、リブの材料によっては、開口から外に突出することでリブ自体が放熱フィンとして機能するため、前記リフレクタ内部の冷却効果をより高めることができる。
【００１５】
また、請求項５の発明にかかるランプホルダは、請求項４に記載の発明において、前記リブは、前記開口から複数個突出し、該複数のリブのうち一つのリブの端部は上方向に折曲され、他のリブの端部は下方向に折曲されていることを特徴とする。
【００１６】
この請求項５の発明によれば、開口から突出する各リブが上方向または下方向に折れ曲がっているので、光源装置を上下逆に設置した場合でも、同じ形態を保つことができる。これにより、開口を一方側、例えば上方側にのみ設けた場合、上下逆に設置すると開口が下方に位置してリフレクタ内の熱気が排出され難くなることを防止できる。
【００１７】
また、請求項６の発明にかかるランプホルダは、請求項１〜５のいずれか一つに記載の発明において、前記開口は、ランプホルダの両側部にそれぞれ設けられ、該それぞれの開口は、外部の空気の流れ方向に向いていることを特徴とする。
【００１８】
この請求項６の発明によれば、一方の開口から冷却用の空気を自然に導入して、他方の開口から熱気を自然に排出でき、リフレクタ内がより冷却され得る。
【００１９】
また、請求項７の発明にかかるランプホルダは、請求項１〜５のいずれか一つに記載の発明において、前記開口は、ランプホルダの両側部にそれぞれ設けられ、該各開口には、外部の空気の流れ方向の下流側に開いた開端を有するカバーがそれぞれ設けられていることを特徴とする。
【００２０】
この請求項７の発明によれば、空気の流れにより、一方の開口から冷却用の空気が導入され、他方の開口からリフレクタ内の熱気を排出できるようになり、リフレクタ内がより冷却され得る。
【００２１】
また、請求項８の発明にかかるランプホルダは、請求項１〜５のいずれか一つに記載の発明において、前記開口は、ランプホルダの両側部にそれぞれ設けられ、該一方の開口には、外部の空気の流れ方向の上流側に開いた開端を有するカバーが設けられ、他方の開口には、外部の空気の流れ方向の下流側に開いた開端を有するカバーが設けられていることを特徴とする。
【００２２】
この請求項８の発明によれば、空気の流れにより一方の開口から冷却用の空気を積極的に導入することができ、また、他方の開口からリフレクタ内の熱気を排出できるため、リフレクタ内がより冷却され得る。
【００２３】
また、請求項９の発明にかかるランプホルダは、請求項１〜５のいずれか一つに記載の発明において、ランプホルダの下方に、外部の空気の流れ方向に向いた第２の開口を設けたことを特徴とする。
【００２４】
この請求項９の発明によれば、周壁の下方に第２の開口を設けることで、前記開口からリフレクタ内部に空気を導入できる。これにより、前記第２の開口から冷気を入れるとともに、リフレクタ内の熱気を両側の開口から外に放出することができ、放熱効率をさらに向上できるようになる。第２の開口からは、強制的にファン等の空気流を供給させてもよい。
【００２５】
【発明の実施の形態】
以下に添付図面を参照して、この発明のランプホルダの好適な実施の形態を詳細に説明する。この発明のランプホルダは、ランプユニットの前面に取り付けられてランプ破損時に破片の飛散を防止しつつ、ランプユニット内部の放熱機能を有したものである。ランプホルダが取り付けられたランプユニットは、例えばプロジェクタ等の映像投射装置の光源装置として用いられる。
【００２６】
（実施の形態１）
図１は、この発明の実施の形態１にかかるランプホルダを示す組立図である。図２は、図１に示したランプホルダの正面図である。図３は、図１に示したランプホルダの断面図である。ランプホルダ１に対してランプユニット２を固定することにより光源装置１００が得られる。ランプユニット２は、ランプ３と、このランプ３を収容し、ランプ３が発光する光を集光して外部に出射させるリフレクタ４を有する。このリフレクタ４は、結晶化ガラスハウジングの内面が放物線状の反射面となり、この反射面でランプ３からの発散光を反射し、略平行光として前方に出射する。ランプ３には、例えばメタルハライドランプが用いられる。この他、キセノンランプ等その他のランプを用いてもよい。ランプ３の発光管３ａは、石英ガラスからなり、その中央には略球状の楕円形状の発光部３ｂが設けられている。発光部３ｂの内部には、金属ハロゲン化物が封入されている。金属ハロゲン化物は、例えば沃化ジスプロシウム、沃化ネオジム或いは沃化セシウムである。発光部３ｂには上記の金属ハロゲン化物とともに、バッファガスとしての水銀および始動用補助ガスとしてのアルゴンも封入されている。
【００２７】
ランプホルダ１は、樹脂製の射出成形品であり、上記ランプユニット２を着脱自在な構造である。具体的な固定形状は特に限定されず、ランプユニット２の一部または全部を把持固定し、その状態でランプユニット２の前端のフランジ部５がランプホルダ１のフロント部６の当接面７と接するものならどのようなものでもよい。例えば、リフレクタ４のハウジング外部を固定するようなものでよい。ランプユニット２は消耗品であるため、ランプホルダ１から外して新しいものと交換できる。
【００２８】
ランプホルダ１の前方側に立設したフロント部６には、透光ガラス８が取り付けられている。この透光ガラス８には、耐熱性に優れかつ強度の高いパイレックス（Ｒ）等の硬質ガラスを用いるのが好ましく、１５０℃〜２００℃の温度に耐えられれば十分である。また、透光ガラス８の厚さは２〜５ｍｍ程度とするのが好ましい。２ｍｍより薄いと耐衝撃性が低くなり、５ｍｍより厚いと熱膨張による破損が懸念されるからである。
【００２９】
ランプホルダ１のフロント部６は、リフレクタ４のフランジ部５が密着状態で取り付けられる当接面７を備え、この当接面７はランプホルダ１の端面側の下半分に設けられている。また、次に、ランプホルダ１の当接面７の周囲にはリフレクタ４の前面空間を囲うような周壁９が形成されている。この周壁９は、フロント部６に一体成形されている。また、この周壁９の両側面には、放熱用の開口１０が設けられている。この開口１０は、ランプホルダ１にランプユニット２を固定した場合に、このランプユニット２のランプ中央位置Ｃより上側に位置するように設けられる。ランプ３の熱が上方から抜けやすくするためである。
【００３０】
このように、この開口１０はランプ３に起因した熱気を放出する作用を有するところ、周壁９の上側に開口１０を設けないのは、仮に光源装置１００を上下逆に設置した場合（或いは光源装置１００を内蔵する映像投射装置を天吊りにして上下逆に設置した場合）、開口１０が下方に位置することになり、内部に熱がこもってしまうからである。このランプホルダ１は、一体成形品であっても、２部品以上を組み合わせたものであってもよい。
【００３１】
また、ランプホルダ１の開口１０近傍には、リブ１１が形成されている。このリブ１１は、少なくとも２つの機能を有する。第１の機能は、ランプ３が破裂した際にランプホルダ１の外に破片を飛び出させないことである。図３を用いて説明すると、ランプユニット２をランプホルダ１に固定した状態で、リフレクタ４の内部空間とその前面に位置する透光ガラス８との間に空間（区画室１２）が形成される。特に、リフレクタ４端部と透光ガラス８との間には、周壁９の側面に開口１０が設けられているから、この開口１０から破片が飛び出る可能性がある。そこで、この発明のように、ランプ３と開口１０との間にリブ１１を形成することで、ランプ破裂時の破片がこのリブ１１に当たるようにし、これらが開口１０から外に飛び出ないようにしている。
【００３２】
図２に示すように、リブ１１は、ランプ中央位置Ｃから開口１０に至る放射状の仮想直線（図中一点鎖線：ランプ破裂の際の破片飛翔軌跡を想定）上に突出する形状で設けられる。すなわち、放射線がリブ１１に触れずに開口１０から外部に通り抜けるのを遮るようにリブ１１の配置位置および形状を設定している。このランプ中央位置Ｃは、ランプ３の破裂部分を中心点に想定したものである。これにより、破裂片が開口１０を通じて外に飛び出ることがない。
【００３３】
リブ１１の形状は、破裂片が当たった場合に、この破裂片を下方に落とすような角度を有するようにするのが好ましい。例えば、リブ１１はＶ形状をしており、このランプ３側の斜面１１ａは下方に傾斜しており、破裂片が当たった場合にこの破裂片を下方に落とすように作用する。開口１０側の斜面１１ｂは、同じく下方に傾斜し、リブ１１とリブ１１の間のノズル１３を通じて熱気がリブ１１の面を伝わり、開口１０から放出される。
【００３４】
リブ１１を設ける個数は、例えば、同図に示す例では３個形成したが、これに限らない。また、各リブ１１の端部１１ｃは、リフレクタ４のフランジ部５に当接してこのリフレクタ４を位置決めする。すなわち、このリブ１１の端部１１ｃは、上記の当接面７と同様に機能する。
【００３５】
なお、リブ１１は、ランプホルダ１と一体成形するのが製造上好ましいが、別部品として成形し、ランプホルダ１の所定位置にそれぞれ固着するようにしてもよい。また、リブ１１を含むランプホルダ１は耐熱性樹脂からなり、例えばポリフェニレンサルファイド（ＰＰＳ）、ポリエーテルエーテルケトン（ＰＥＥＫ）、結晶性ポリマー（ＬＣＰ）などの樹脂からなる。この他、耐熱性（１００〜１５０℃程度）を有するフッ素繊維、ナイロン、ポリエステル等でもよい。
【００３６】
リブ１１の第２の機能は、区画室１２を介してリフレクタ４内部の熱を効果的に外部に放出させることである。開口１０の形成により内部の熱を放出できるが、開口１０に従来のようにメッシュ材を張ると、実質的に開口率が低下して空気の流動性が悪くなる。特に、ランプ３の破裂片のように小さいものを補足するには、細かい目のメッシュ材が必要となるため、空気の流動性は明らかに低下する。これに対して、この発明のリブ１１によれば、これらにより加熱空気が流れるノズル１３が形成され、このノズル１３はわずかに折れ曲がった極めて単純な形状であるから、開口率の低下が殆どなく、リフレクタ４内部の熱を効果的に外に放出することができる。熱の流れを図中点線で示した。なお、前記ノズル１３とは、リブ１１とリブ１１との間に形成された空気の流路であり、リブ１１と周壁９との間に形成されるものも含まれる。
【００３７】
リブ１１の形状は、熱の流れを阻害しないように考慮する。例えばランプ３の破裂片を確実に捕捉するために、リブ１１を交互に配置してジグザグの迷路状のノズルを形成すると、破裂片の捕捉には効果的であるが、ノズル形状がシンプルでなくなり熱気の流動性が悪くなる。実施の形態１では、Ｖ形状のリブ１１を連設して略Ｖ字形状に折れ曲がったノズル１３を形成し、ノズル１３の入り口をランプ３側に向け、出口を開口１０側に向ける比較的シンプルな構成にしてある。
【００３８】
開口１０にメッシュ材などを取り付けないこと、ノズル１３の形状がシンプルなことから、外からこの開口１０を通じて区画室１２内に冷風を導入することができる。このため、ホルダ周囲の空気の流れにより、リフレクタ４内部を積極的に冷却することができる。その際は、冷風を導入した側の開口１０とは反対の開口１０から熱気が放出されることになる。このような点からも、周壁９の両側面に開口１０を設けることが好ましい。これに対して、従来のようにメッシュ材を開口１０に設けた場合は、外から区画室１２内に冷風を送り込むことが難しくなるため、リフレクタ４およびランプ３を十分に冷却できない。なお、リブ１１をランプホルダ１に一体成形することで製造工程を簡略化してコスト低減できるという効果もある。
【００３９】
ランプホルダ１のフロント部６は、映像投射装置の筐体底面に固定する構成とするほか、図３に示すように、光源装置１００の交換を容易化するためにフロント部６を底面板１４にネジ等で固定したり、フロント部６と底面板１４を一体形成してもよい。底面板１４とフロント部６が一体化されることにより、光源装置１００をユニット化することができ、ランプ３の破損時における交換をより容易化できるようになる。この場合、底面板１４には、光源装置１００の挿抜操作を行う際に指を引っかけて、光源装置１００を取り外し方向に（例えば図３中矢印方向）引き出すための操作アーム１５を設けてもよい。
【００４０】
以上説明した実施の形態１によれば、ランプ使用中にランプ３が破裂した場合でも、その破裂片が光源装置１００の開口１０から外に飛び出ることがなく、かつ、この開口１０からリフレクタ４内部の熱を効率的に排出できる。また、製造工程を簡略化できかつコストも低減できる。リフレクタ４に切り欠きや封鎖板を設ける構成ではないので、反射率の低下をもたらすこともなく、十分な光量を得ることができる。
【００４１】
なお、上記実施の形態１では、この発明のリブ１１として比較的薄肉のものを図示したが、これより肉厚のものとしてもよい。また、多数の柱状突起を直線的または曲線的に連設して擬似的にリブ状にしたものとしてもよい。さらに、実施の形態１では、リブ１１をフロント部６に設けたが、リフレクタ４のフランジ部５側に設けてもよい。
【００４２】
（実施の形態２）
図４は、この発明の実施の形態２にかかるランプホルダを示す図である。図４（ａ）は、ランプホルダ正面図、図４（ｂ）は、同側面図である。なお、ランプ３およびリフレクタ４の構成は図１および図３と同様であり、説明を省略した。このランプホルダ２０１のフロント部２０６には、ランプユニット２の前端のフランジ部５が接触する当接面２０７が設けられ、その周囲には周壁２０９が形成される。周壁２０９の側面中央には、放熱用の開口２１０が形成されている。この開口２１０付近には、ランプ３の破裂片を受ける機能と効率的に放熱を行う機能を備えたリブ２１１が形成されている。具体的には、このリブ２１１は、略π形状に形成され、ランプ３の中央位置Ｃから開口２１０までの放射線上（径方向）に壁部２１１ａを形成し、かつその足部２１１ｂ，２１１ｃは開口２１０から突出してそれぞれ上下方向に折れ曲がっている。リブ２１１は、ランプホルダ２０１と一体成形してもよいし、別部品として取り付けてもよい。このリブ２１１の端部２１１ｄは、ランプユニット２のフランジ部５と当接して当接面となる。
【００４３】
ランプ３が破裂した場合、その破裂片は放射状に飛び散るが、リブ２１１の壁部２１１ａがランプ中央位置Ｃからの放射線上に位置しているから、この破裂片が開口２１０から飛び出ることはない。また、リブ２１１の上側の足部２１１ｂは、壁部２１１ａに衝突せず周壁２０９に当たり落下した破裂片を受け止め、これらが開口２１０から外に出るのを防止する。このようなリブ構造によれば、ランプ３の破裂片が開口２１０から外に飛び出るのを防止できる。また、区画室２１２とリフレクタ４内部の熱気は、リブ２１１と周壁２０９により形成されたノズル２１３を通じて外に放出される（熱気の流れを点線矢印で示す）。
【００４４】
このとき、このリブ２１１が形成するノズル形状は、比較的単純な形状となるから、内部の熱気は放出されやすい。熱気はリブ２１１の上方の足部２１１ｂに案内され、上方に放出される。各リブ２１１の足部２１１ｂ，２１１ｃが上方向および下方向に折れ曲がるように形成されているのは、光源装置を上下逆に設置した場合（光源装置を内蔵した映像投射装置を天吊りで上下逆に設置した場合）に、同様の効果を得るためである。すなわち、仮に上下が逆になっても、かかる足部２１１ｂ，２１１ｃは同様の状態を保つので、前記同様に区画室２１２とリフレクタ４の熱気は前記ノズル２１３を通じて外に放出される。
【００４５】
また、ランプホルダ２０１の外側の対流により、リブ２１１近傍に上昇気流が存在すれば、リブ２１１のノズル２１３から出た熱気もその対流に沿って上昇して循環する。特に、このリブ２１１は、足部２１１ｂ，２１１ｃがランプホルダ２０１から突出していることで、放熱フィンとして機能する。すなわち、区画室２１２とリフレクタ４内部のランプ３の熱がリブ２１１の壁部２１１ａから足部２１１ｂ，２１１ｃに伝わり、外に突出した部分で外気に触れて熱交換される。このため、ランプホルダ２０１の内部のみにリブ２１１を設ける場合に比べて、放熱効果を高めることができる。特に、リブ２１１を熱伝導性のよい材料、例えばアルミニウム、銅等で別体製作し、ランプホルダ２０１に固着するようにすれば、より放熱効果がある。また、樹脂製のリブ２１１の周囲に金属膜を取り付けてもよい。
【００４６】
なお、樹脂製の場合でも、ＭＩＭ成形の場合のようにこの樹脂にアルミニウム等の金属粉末を混合させたものを用い、ランプホルダ２０１自体を射出成形すれば、同様の効果がある。その場合は、ランプホルダ２０１全体としての熱伝導性が高まり、外気との熱交換を容易に行うことができる。また、リブ２１１のうち、下方に位置するリブ２１１の足部２１１ｃは、上昇気流があればこの足部２１１ｃに案内されて外部の空気が内部に導かれる。これにより、区画室２１２を介してリフレクタ４内部に冷却空気が送り込まれて、冷却効果が高まる。
【００４７】
以上実施の形態２のランプホルダによれば、ランプ３の破裂片が開口２１０から外に飛び出るのを防止でき、かつリフレクタ４内部の熱を効果的に外に放出できる。さらに、熱交換率が高まり、放熱性が極めてよくなる。なお、上記同様、リブ２１１を一体成形することで製造工程が簡略化され、コスト低減化が図れるようになる。
【００４８】
（実施の形態３）
図５は、この発明の実施の形態３にかかるランプホルダを示す正面図である。このランプホルダ３０１は、上記実施の形態１に示すランプホルダと略同様の構成であるが、リブ３１１のみ形状が異なる。このランプホルダ３０１の開口３１０は、周壁３０９の上方に位置する。周壁３０９の内側には、ランプユニットのフランジ部が当接する当接面３０７が形成される。また、ランプホルダ３０１のフロント部３０６の上方でかつ開口３１０近傍には、リブ３１１が設けられている。このリブ３１１は略Ｊ形状であり、長足３１１ｂの端部は、前記開口３１０から突出してその端部が上方に折れ曲がっている。短足３１１ｃは、ホルダ内に位置している。壁部３１１ａは、ランプ中央位置Ｃからの放射線が開口３１０を直接通過しないよう、この放射線に交差するように配置形成されている。
【００４９】
このような実施の形態３のランプホルダ３０１によれば、ランプの破裂片は、壁部３１１ａに当たって前記開口３１０から外部に飛び出ることはなく、かつリフレクタ内部の熱気は、リブ３１１により形成したノズル３１３を通して外部に放出される（熱気の流れを点線で示す）。このとき、外部に空気の上昇気流が存在すれば、リブ３１１の長足３１１ｂから出た熱気は対流に乗って外部に流れ出るようになる。また、長足３１１ｂが外部に突出することで上記実施の形態２で説明したような放熱フィンとしての機能が得られる。以上から、このランプホルダ３０１においても、ランプの破裂片が飛び散るのを防止し、かつリフレクタ内部の熱気を効果的に外部に放出できる。さらに、リブ３１１を一体成形することで製造コストを低減できる。
【００５０】
（実施の形態４）
図６は、この発明の実施の形態４にかかるランプホルダを示す正面図である。このランプホルダ４０１は、上記実施の形態１に示すランプホルダと略同様の構成であるが、リブ４１１の形状のみ異なる。このランプホルダ４０１の開口４１０は、周壁４０９の上方に位置する。リブ４１１は、ランプ側端部が折れ曲がった形状であり、他端が開口４１０から突出した形状である。また、開口４１０には、図の垂直方向（手前側）に開端を有するカバー４５０が設けられている。カバー４５０により開口４１０の外側に排気通路４５１が形成される。周囲の気流の流れ方向（空気の流れ方向４５２）が図の垂直方向（ランプホルダ４０１の前面から背面、すなわち、図の奥から手前側）である場合、一方の開口４１０から排気通路４５１内に空気が導入され、他方の開口４１０からリフレクタ内部の熱気が放出されるようになる。また、リブ４１１は、排気通路４５１内にその端部が位置しているから、外気の流れにさらされて放熱フィンとして機能する。なお、不図示であるが、光源装置の後方にファンを設置して、積極的に熱気を吸引するようにしてもよい。
【００５１】
また、これに限らず、一方のカバー４５０の開口方向をランプホルダ４０１の前面側とし、他方のカバー４５０の開口方向をランプホルダ４０１の背面側としてもよい。この場合、一方のカバー４５０から外気を取り込み、他方のカバー４５０側からリフレクタ内部の熱気を放出できるようになる。
【００５２】
ランプの破裂片は、リブ端部の折れ曲がった部分に当たり、開口４１０には殆ど至らない。開口４１０に破裂片が届いてもカバー４５０の内壁に当たり、それ以上外に飛び出ることはない。なお、このリブ４１１および排気通路４５１は、ランプホルダ４０１と一体成形してもよいし、別体として組み立ててもよい。なお、リブ４１１とフロント部４０６とからなる当接面４０７に、ランプユニットのフランジ部が位置決めされ当接される。このように、かかる構成の場合にも、ランプの破裂片が飛び散るのを防止し、かつ内部の熱気を効果的に外部に放出できる。さらに、リブ４１１を一体成形することで製造コストを低減できる。
【００５３】
（実施の形態５）
この発明のランプホルダは、上記実施の形態１〜４に示すような構成のほか、以下のような構成を採用できる。図７は、そのような変形例を示す説明図である。図７（ａ）に示すランプホルダは、湾曲形状のリブ５１１をランプホルダのフロント部６に形成した構造である。その他の構成は上記実施の形態１に示した光源装置と同様であり説明を省略する。具体的には、上下に湾曲したリブ５１１ａ，５１１ｂを形成し、これらにより湾曲形状のノズル５１３を形成する。ランプホルダの周壁９の中央付近には、リフレクタ内部の熱を放出する開口１０が設けられている。前記上下のリブ５１１は、ランプ中央位置Ｃから開口１０に至る放射線上に突出して遮るように設けられている。なお、上側のリブ５１１ｂは、空気が通りやすいように２分割されている。また、図示は省略するが、この開口１０およびリブ５１１は、ホルダ中心から対称の位置にも形成されている。
【００５４】
リブ５１１はランプホルダ１と一体成形してもよいし、別部品として取り付けてもよい。また、リブ端部がランプユニットのフランジ部の当接面となるのは、上記実施の形態と同様である（下記図７（ｂ）〜図７（ｄ）において同じ）。かかる構成において、ランプの破裂片は、ランプ中央位置Ｃから放射線上に設けてある上下のリブ５１１に衝突して落下する。また、ランプに起因するリフレクタ内の熱気は、リブ５１１により構成したノズル５１３に従って開口１０から外部に放出される。このノズル５１３は比較的シンプルな構成であるため、上記実施の形態の光源装置と同様に熱気が内部にこもることなく、効果的に外に放出できる。このため、リフレクタ内部の冷却効果が高まる。
【００５５】
図７（ｂ）に示す構成は、ランプホルダのフロント部６に２つの円弧状のリブ５２１ａと、三角形のリブ５２１ｂと、上方に設けた径方向のリブ５２１ｃとを設けた構成である。ランプホルダの周壁９の中央付近には、リフレクタ内部の熱を放出する開口１０が設けられている。円弧状のリブ５２１ａは、ランプ中央位置Ｃから開口１０に至る放射線上に突出し遮るように設けられている。三角形のリブ５２１ｂは、円弧状のリブ５２１ａの隙間であってランプ中央位置Ｃから開口１０への放射線上にある。このリブ５２１によれば、ランプの破裂片は円弧状のリブ５２１ａによりその飛散を防止され、この円弧状のリブ５２１ａの間を抜けた破裂片は三角形のリブ５２１ｂに衝突して下方に落とされる。上方の径方向のリブ５２１ｃは周壁９に当たって落下した破裂片が外に出ないようにする。ランプにより加熱された内部の熱気は、リブ５２１により形成されたノズル５２２を通じて外部に放出される。この図７（ｂ）に示す例でも、簡単なノズル形状であるから、リフレクタ内部の空気が放出されやすく、外部から冷却風を入れやすい。
【００５６】
図７（ｃ）に示す構成は、円弧状の内側と外側のリブ５３１ａ，５３１ｂと、上方に位置する径方向のリブ５３１ｃとからなる。内側のリブ５３１ａと外側のリブ５３１ｂとは、ランプ中央位置Ｃからの放射方向で互いの端部が重なっている。このため、ランプの破裂片は、この円弧状のリブ５３１ａ，５３１ｂに衝突して下方に落下させられる。径方向のリブ５３１ｃは、フロント部６の周壁９に衝突して落下する破裂片が開口１０から外に出るのを防止する。リフレクタ内部の熱気は、これらのリブ５３１により比較的簡単に構成されたノズル５３２を通って開口１０から放出される。
【００５７】
図７（ｄ）に示す構成では、実施の形態１に示したようなリブ５４１の端部を延長して、開口１０から突出させている。リフレクタ内部の熱気は、リブ５４１により形成したノズル５４２により外に放出される。このリブ５４１の作用は、上記実施の形態１で説明した通りであるが、さらにリブ５４１を開口１０から突出させたことで、このリブ５４１が放熱フィンとして機能し、内部熱がリブ５４１を介して外部に伝えられる。フロント部６の外側にファンなどによる空気の流れがあれば、より熱交換がされやすくなる。さらに放熱効果を高めるには、前記リブ５４１をアルミニウムや銅等の熱伝導性のよい材料で製作してもよいし、樹脂製のリブ５４１の表面にアルミニウムや銅等の金属膜を設けるようにしてもよい。
【００５８】
（実施の形態６）
図８は、実施の形態６にかかるランプホルダを示す斜視図である。図９は、図８の断面図である。このランプホルダ１は、実施の形態１に示したランプホルダ１００と略同様の構成であるが、フロント部６の周壁９の下方に第２の開口６０１を設けた点が異なる。その他の構成は説明を省略し、同一構成要素には同一の符号を付してある。周壁９の下方に設けた開口６０１は、区画室１２内と外部とを連通しており、ランプホルダ１の下面に向いて開いている。
【００５９】
この実施の形態６の光源装置６００では、第２の開口６０１から区画室１２を介してリフレクタ４内部に冷気を導入し、内部の熱気を周壁９側方の開口１０から外部に放出させる。これにより、ランプ３の冷却をより効率的に行うことができる。なお、空気の流れは、図８中において点線矢印で示す。また、第２の開口６０１の形状や大きさは、必要とする冷却能力に従い適宜決定すればよい。図には、円形断面の開口６０１を例示したが、断面が矩形の開口であってもよい。さらに、図示しないが、第２の開口６０１から区画室１２を介してリフレクタ４内部にファン（不図示）からダクトを介して導出した空気流を積極的に導入するようにしてもよい。また、この第２の開口６０１を、光源装置６００を設置した機器内の空気の流れに向くようにし、区画室１２を介してリフレクタ４内部に空気を導入しやすくするようにしてもよい。
【００６０】
また、第２の開口６０１が図８に示したような直線的な形状の場合、ランプの破裂片がこの開口から外部に飛び出る可能性があるため、第２の開口６０１の形状にトラップ部（溜め部）を設けるようにしてもよい。図１０は、図９のＡ−Ａ断面図である。図１０（ａ）に示すように、開口６０２は、折れ曲がった形状であって経路途中の折れ曲がった部分に溜り部６０３を有するものとしてもよい。この形状の開口６０２では、区画室１２内から侵入した破裂片は、開口６０２内の溜り部６０３で溜められる。一方、外部からの空気は、開口形状が比較的簡単であるため、区画室１２内に侵入しやすい。
【００６１】
また、図１０（ｂ）に示すように、階段状にしてもよい。かかる形状の開口６０４では、区画室１２から侵入した破裂片は途中の段部６０５にて溜められ、その一方で外部からの空気は開口形状が比較的簡単であることから、区画室１２内に入りやすい。この他、開口の形状は、ランプの破裂片が外部に飛び出ないような形状であり、かつ、区画室１２を介してリフレクタ４内部に空気を効率的に導入できる形状であればよい。
【００６２】
以上説明した各実施の形態に示したランプホルダは、プロジェクタ等の映像投射装置、車両のヘッドライト、スポットライト等に用いる光源装置の発光面前面に設けて好適である。以上、本発明の一実施形態を図面に沿って説明した。しかしながら本発明はこの実施の形態に示した事項に限定されず、特許請求の範囲の記載に基づいてその変更、改良等が可能である。
【００６３】
【発明の効果】
以上説明したように、この発明によれば、開口に設けたリブにより、ランプが破裂した場合の破裂片が外に飛び出るのを防止するとともに、リフレクタ内部の熱気を効率的に放出させランプの冷却が行えるという効果を奏する。
【図面の簡単な説明】
【図１】この発明の実施の形態１にかかるランプホルダを示す組立図である。
【図２】図１に示したランプホルダの正面図である。
【図３】図１に示したランプホルダの断面図である。
【図４】この発明の実施の形態２にかかるランプホルダを示す図である。
【図５】この発明の実施の形態３にかかるランプホルダを示す正面図である。
【図６】この発明の実施の形態４にかかるランプホルダを示す正面図である。
【図７】この発明の実施の形態５にかかるランプホルダの各種変形例を示す説明図である。
【図８】この発明の実施の形態６にかかるランプホルダを示す斜視図である。
【図９】図８に示したランプホルダの断面図である。
【図１０】図９のＡ−Ａ断面図である。
【図１１】従来のランプホルダの一例を示す斜視図である。
【符号の説明】
１  ランプホルダ
２  ランプユニット
３  ランプ
４  リフレクタ
６  フロント部
８  透光ガラス
９  周壁
１０  開口
１１  リブ
１２  区画室
１３  ノズル
１００  光源装置
【図１】
2004239975.tif 000003
【図２】
2004239975.tif 000004
【図３】
2004239975.tif 000005
【図４】
2004239975.tif 000006
【図５】
2004239975.tif 000007
【図６】
2004239975.tif 000008
【図７】
2004239975.tif 000009
【図８】
2004239975.tif 000010
【図９】
2004239975.tif 000011
【図１０】
2004239975.tif 000012
【図１１】
2004239975.tif 000013